(57)【特許請求の範囲】
【請求項１】
カード式記憶媒体を収容してロックプレートを挿入した防犯ケースにおいて、該ケースは本体の１辺に設けた開閉軸を中心として蓋体を開閉可能に取付け、本体には上記カード式記憶媒体を収容する収容部を設けると共に該収容部には開閉可能なカバーを取付け、そして収容部の載置面は傾斜すると共に載置面の長さはカード式記憶媒体より短くして該カード式記憶媒体の先端を載置面からはみ出し、カード式記憶媒体の基部側を挟むツメを設けたことを特徴とする記憶媒体用防犯ケース。
【請求項２】
上記カバーには開閉軸側にリブを設け、カバーを開く場合にリブによって載置面からはみ出したカード式記憶媒体の底に当って先端側を持ち上げるようにした請求項１記載の記憶媒体用防犯ケース。
【請求項３】
カード式記憶媒体を収容してロックプレートを挿入した防犯ケースにおいて、該ケースは本体の１辺に設けた開閉軸を中心として蓋体を開閉可能に取付け、本体にはカードケースを着脱可能に取付け、そしてカードケースの本体にはカード式記憶媒体を収容する収容部を設けると共に、該収容部に隣接して取外し部を有し、取外し部の底は収容部側を高くして傾斜し、収容部の両側にはカード式記憶媒体がガイドしてスライドすることが出来るガイドを形成し、上記カード式記憶媒体はガイドに沿ってスライドすることで取外し部側へ移行することが出来、そして収容部を設けた本体にはカバーを取付けたことを特徴とする記憶媒体用防犯ケース。
【請求項４】
カード式記憶媒体を収容してロックプレートを挿入した防犯ケースにおいて、該ケースは本体の１辺に設けた開閉軸を中心として蓋体を開閉可能に取付け、本体の上面には収容部を設けると共に該収容部を覆うカバーを軸を中心として開閉可能に取付け、収容部の載置面はカバーの軸側を高く傾斜すると共に載置面に載ったカード式記憶媒体の先端側がはみ出す長さとし、そして載置面に載ったカード式記憶媒体の基部側を挟むツメを設けたことを特徴とする記憶媒体用防犯ケース。
【請求項５】
上記蓋体の内面にシートを取付ける為のツメを設けた請求項３、又は請求項４記載の記憶媒体用防犯ケース。
【発明の詳細な説明】
【技術分野】
【０００１】
本発明はカード式記憶媒体を収容してロックプレートにて蓋体が開かないようにロックすることが出来る防犯ケースに関するものである。
【背景技術】
【０００２】
音楽を再生する機器としては従来からＣＤプレーヤーが用いられ、映像を再生する機器としてはＤＶＤプレーヤーが知られている。又、ＣＤプレーヤーの小型機器としては、持運び出来るサイズに構成したウォークマン（登録商標）が販売されて来ている。一方、映像を記憶したＤＶＤはテレビに接続して再生するＤＶＤプレーヤーの他に、パソコンを用いて再生することも可能である。
【０００３】
ところで、ＣＤ、ＤＶＤ等の円盤状記憶媒体を購入する場合もあるが、レンタルショップにおいて一時的に借りて使うことも多い。むしろ、色々な音楽を聴いたり、色々な映画を見たりする場合にはレンタルした方が便利であり、我国では所々にＣＤやＤＶＤなどのレンタルショップが数多く存在している。
【０００４】
ＣＤやＤＶＤは一般にその外径が１２０ｍｍあり、これを再生する機器はＣＤやＤＶＤが収容出来る大きさが必要であり、常に携帯するには不便を感じることも多い。また、ＣＤ、ＤＶＤを再生するには、該ＣＤ、ＤＶＤを回転する為のドライブモータ及び光を照射して読み取る為のピックアップ機構も必要であり、外形サイズは大きくなると共にコストも高くなる。近年では「アイポッド」（登録商標）と称される再生機器が使用され、この機器を洋服の胸ポケットに入れてイヤホンで音楽を聴いたり、又は手のひらサイズの機器の表示面から映像を見ることが出来る。
【０００５】
この再生機器にセットする記憶カードはＣＤやＤＶＤに比較して非常に小さく、しかし記憶容量は非常に大きい。再生手段としては、何も「アイポッド」に限ることはなく、パソコンに該記憶カードを挿入することで映像を見ることが出来、又はテレビの画面に映しだすことも可能である。
【０００６】
ところで、最近では小さいカード式記憶媒体をＣＤやＤＶＤの場合と同じようにレンタルすることが求められている。しかし、大きさが小さい為に盗難され易く、その為に盗難防止対策が一段と重要になる。ＣＤやＤＶＤの場合には、貸出しケースが開かないようにロックプレートが挿入されていて、該ロックプレートにはタグシールが貼着されている為に、ロックプレートを外さないで店から持ち出すならば、ゲートが反応して警報音が鳴るようにしている。
【０００７】
盗難防止機能を備えた従来のＣＤやＤＶＤの貸出しケースに関しては、特許第３４５９９９７号に係る「盗難防止機能を備えたＤＶＤ等の貸出しケース」、
特許第３９７８６８６号に係る「盗難防止機能を備えたＤＶＤ等の貸出しケース及び解錠具」を参照すれば明らかである。しかし、カード式記憶媒体のように小さいものは、ケースをこじ開けて盗まれる虞があり、ＣＤ，ＤＶＤと同じような防犯構造では十分でない。
【０００８】
特開２００７−２４１５８１号に係る「メモリーカード用収納体」は、サイズの小さなＳＤメモリーカードやプレイステーション２用のメモリーカードなどを保管するに際し、紛失しにくくしたメモリーカード用収納体であり、平板状の盤体にＳＤメモリーカードを盤体の一方の面より嵌め込むためにＳＤメモリーカードの外形に合う形の孔部が形成されている。
しかし、盗難防止を考える場合、このようなメモリーカード用収納体を貸出しケースとしてそのまま店に展示することは出来ない。
【特許文献１】特許第３４５９９９７号に係る「盗難防止機能を備えたＤＶＤ等の貸出しケース」
【特許文献２】特許第３９７８６８６号に係る「盗難防止機能を備えたＤＶＤ等の貸出しケース及び解錠具」
【特許文献３】特開２００７−２４１５８１号に係る「メモリーカード用収納体」
【発明の開示】
【発明が解決しようとする課題】
【０００９】
このように、カード式記憶媒体を貸出しケースに収容して貸出すには上記のごとき問題がある。また、小さいカード式記憶媒体をケースに設けた収容部に着脱することが容易でない。本発明が解決しようとする課題はこの問題点であり、カード式記憶媒体を収容することが出来、しかも盗難に遭うことのない記憶媒体用の防犯ケースを提供する。この記憶媒体用の防犯ケースは貸出し用として、又は販売用として使用することが出来る。
【課題を解決するための手段】
【００１０】
本発明に係る記憶媒体用の防犯ケースは、カード式記憶媒体を収容することが出来るように構成している。ここで、カード式記憶媒体とは音楽又は映像が記憶されているカード（チップ）であり、具体的な記憶内容を限定するものではない。そして、カードは厚さが薄い板状体をしているが、具体的な形状及びサイズも限定しないことにする。
【００１１】
ところで、記憶媒体用の防犯ケースは従来のケースと同じく本体と蓋体を有し、蓋体は開閉軸を中心として揺動することで開閉することが出来る。また、蓋体は開閉軸を中心として開閉する場合のみならず、スライド式であったり、本体に被せる構造としたり、その開閉構造は色々存在する。そして、本体には収容部を設けてカード式記憶媒体が収容され、該収容部には更にカバーが開閉可能に取付けられている。
一方、カード式記憶媒体の収容手段として別部材として構成したカードケースが用いられ、このカードケースにカード式記憶媒体を収容する収容部が設けられている。そして、該カードケースが記憶媒体用防犯ケースに収容される。上記カードケースは小さいカード式記憶媒体を収容することが出来る容器であり、該カードケースは防犯ケースの本体に着脱自在に取付けられる。該カードケースの蓋は軸を中心として開閉したり、スライドしたり、着脱可能であったり、その具体的な開閉構造は限定しない。
【発明の効果】
【００１２】
本発明に係る記憶媒体用の防犯ケースは内部にカード式記憶媒体が収容されている。しかも、カード式記憶媒体は収容部に収容されてロックプレートにてロックされることで盗難に遭うことはない。収容部はケース本体に直接設ける場合もあれば、別部材として製作したカードケースに形成し、このカードケースを本体に取付けて蓋体を閉じてロックすることも出来る。何れにしても、ロックプレートは従来のケースと同じく、タグシールが貼着されている為に、ロックプレートを外さないで持ち出すことは出来ない。
【００１３】
また、収容部にもカバーが取付けられることで二重閉鎖構造としており、小さいカード式記憶媒体が盗まれることはない。そして、該カード式記憶媒体は防犯ケースの本体、又はカードケースに形成される収容部に入れられるが、収容部を傾斜することで該収容部から小さいカード式記憶媒体を取出し易くしている。特に、カバーを開くことでカバーに設けたリブによってカード式記憶媒体の先端側を持ち上げて指で摘み易くしている。
【図面の簡単な説明】
【００１４】
【図１】蓋体が閉じた場合の記憶媒体用防犯ケース。
【図２】蓋体が開いた場合の記憶媒体用防犯ケース。
【図３】本体に設けた収容部の平面図。
【図４】収容部に取付けたカバーが開く行程。
【図５】蓋体が一部開いた場合の記憶媒体用防犯ケースを示す他の実施例。
【図６】蓋体が開いてカードケース及びシートを取外した場合の記憶媒体用防犯ケース。
【図７】本体に取付けられるカードケースの具体例。
【図８】カードケースに設けられる収容部の具体例。
【図９】カードケースを示す他の具体例。
【図１０】カードケースに設けた収容部をカバーを開く行程。
【発明を実施するための形態】
【００１５】
図１は本発明に係る記憶媒体用の防犯ケースを示し、蓋体が閉じた状態であるが、カード式記憶媒体の収容部、ロックプレートを透かして表している。内部には小さいカード式記憶媒体が収容される収容部が設けられ、カード式記憶媒体はこの収容部に収容されてカバーされている。そして、ロックプレートが取付けられている為に、蓋体を開くことは出来ない。
【００１６】
図２はロックプレートを取外して蓋体を開いた場合を示しているが、同図において１は本体、２は蓋体、３は開閉軸、４はロックプレートを表している。記憶媒体用防犯ケースは、厚さの薄い四角形をしたケースであり、本体１にはカード式記憶媒体が収容される３個の収容部５，５，５が設けられている。そして、四角形をした本体１の側辺には縁６，６・・・が起立し、同じく蓋体２の側辺にも縁７，７・・・が起立している。
【００１７】
ロックプレート４が挿入される部分に縁６，７がなく、蓋体２を閉じた場合にロックプレート４の挿入口が形成される。このように、本体１及び蓋体２の側辺に縁６，６・・、７，７・・を起立することで、収容部５，５，５に収容されているカード式記憶媒体が抜取られることはない。該カード式記憶媒体の盗難防止に関しては従来通りであり、上記ロックプレート４を解錠して取外さない限り蓋体２を開くことは出来ない。
そこで、ロックプレート４を解錠しないで記憶媒体用防犯ケースごと店から持ち出すならば、ロックプレート４に貼着しているダグシール８が店の出入口に設置しているゲートに反応して警報音が発生する。そこで、記憶媒体用防犯ケースを貸出す場合には、タグシール８が貼着されているロックプレート４が取外されることで持ち出すことが出来る。
【００１８】
ところで、本発明の記憶媒体用防犯ケースには収容部５，５，５が設けられ、この収容部５，５，５にカード式記憶媒体が収容されている。また、該記憶媒体用防犯ケースの蓋体２の内側にはシート９が開閉軸側に設けたツメ１０，１０に挟まれて取付けられている。シート９の内容は限定しないが、カード式記憶媒体に記憶されている内容のタイトル、概要、又は広告などが表示されている。図３は収容部５を単独で示す平面図であり、該収容部５には開閉出来るカバー１１が取付けられている。カバー１１は周囲に縁を有して、閉じる場合には収容部５の上面及び周囲を覆うことが出来、カード式記憶媒体は二重の盗難防止構造と成っている。そして、該カバー１１は蓋体２を開かない限り開くことは出来ない。
【００１９】
図４は収容部５の内部断面を示しているように、収容部５の載置面１２は傾斜しており、カード式記憶媒体１３はこの傾斜した載置面１２に載っている。そして先端側の一部は載置面１２からはみ出し、基部側はツメ１４にて挟まれている。図４（ｂ）に示すようにカバー１１は軸を中心として旋回して開かれるが、（ｃ）に示すようにカバー１１が開かれると、該カバー１１の軸側に設けたリブ１５がカード式記憶媒体１３の先端側下面に当って持ち上げられる。このように、小さいカード式記憶媒体１３であっても先端側が持ち上げられることで簡単に指で摘んで取出すことが出来る。そして、カバー１１が閉じ、蓋体２が閉じることで該カバー１１を開くことは出来ず、二重閉鎖構造としている。
【００２０】
図５は本発明に係る記憶媒体用防犯ケースの他の実施例であり、ロックプレート４を取外して蓋体２を開く段階であり、本体１にはカードケース１６が取付けられている。前記実施例の場合には、本体１に収容部５，５，５を設けているが、図５に示す記憶媒体用防犯ケースの場合には、本体１に収容部５，５，５は無く、独立したカードケース１６に収容部を形成している。
【００２１】
すなわち、カードケース１６は本体とカバーを有した厚さの薄い独立したケースであり、このカードケース１６の本体に収容部を設け、該収容部にカード式記憶媒体が収容されている。図６は蓋体２を開き、カードケース１６を本体１から取外し、シート９を蓋体２から外した場合を示している。本体１にはリブ１７，１７・・・が底面から起立し、これら各リブ１７，１７・・・にてカードケース１６は位置決めされて取付けられる。
【００２２】
図７はカードケース１６を単独で示し、該カードケース１６は本体１８とカバー１９で構成され、カバー１９は継手を介して開閉可能と成っている。同図はカバー１９が開いている場合であり、本体１８には３つの収容部２０，２０，２０を設けている。そして、該収容部２０にはカード式記憶媒体１３が収容され、該収容部２０から外れ難く、取出し易い構造としている。
【００２３】
図８は収容部２０を単独で表している。該収容部２０の隣りには取出し部２１を設け、該取出し部２１の底面２２は傾斜し、該底面２２は収容部側を高くしている。収容部２０の両側にはガイド２３，２３が設けられ、このガイド２３，２３を案内としてカード式記憶媒体１３が取付けられ、そしてガイド２３，２３に沿ってカード式記憶媒体１３はスライドして取出し部２１へ移行する。取出し部２１へスライドして移行したカード式記憶媒体１３はその基部側が底面２２からはみ出すことで指で摘んで取出し易くなる。すなわち、取出し部２１の底面２２の長さはカード式記憶媒体１３より短く成っていることで、基部側が底面からはみ出す。
【００２４】
図９はカードケース２４の他の実施例を表している。外観は四角形を成していて、本体１に取付けられる。この点は前記図７に示したカードケース１６と同じである。しかし、図９に示すカードケース２４の場合は、上面の３ヶ所に収容部２５，２５，２５を有して内部にカード式記憶媒体１３，１３，１３を収容している。そして、該収容部２５，２５，２５を被覆することが出来るカバー２６，２６，２６を表面に開閉可能に取付けている。すなわち、カードケースの本体全体を被覆するカバーではなく、個々の収容部２５，２５，２５にカバー２６，２６，２６を設けている。
【００２５】
図９では２ヶ所の収容部２５，２５のカバー２６，２６は閉じ、１ヶ所の収容部２５のカバー２６は開いた状態にある。図１０は収容部２５に収容されているカード式記憶媒体１３の断面図を表している。図１０（ａ）はカバー２６が閉じている場合であり、カード式記憶媒体１３は傾斜した状態で収容部２５に収容され、基部側はツメ２７に係止すると共に、先端はカバー２６に当って押圧されている。
【００２６】
ツメ２７は弾性変形することでカバー２６が閉じるとカード式記憶媒体１３の先端側が押圧されてツメ２７は撓み変形する。そして、カバー２６を開くならば、ツメ２７が弾性復元することでカード式記憶媒体１３の先端は浮上して押上げられる。（ｂ）はカバー２６を開き始めた段階を示し、（ｃ）はカバー２６が完全に開いた場合である。
【００２７】
このように、小さいカード式記憶媒体１３の先端が持ち上げられることで、指で摘み易くなり、カードケース２４の収容部２５から簡単に取出すことが出来る。
そして、カバー２６が閉じてカードケース２４が記憶媒体用防犯ケースの本体１に取付けられ、蓋体２が閉じるならば上記カバー２６を押えることに成り、該カバー２６を開くことは出来ない。このことは、前記図７に示すカードケース１６の場合も同じであり、本体１に取付けて蓋体２を閉じることで二重閉鎖構造となり、盗難防止効果は大きくなる。
【符号の説明】
【００２８】
１  本体
２  蓋体
３  開閉軸
４  ロックプレート
５  収容部
６  縁
７  縁
８  タグシール
９  シート
10  ツメ
11  カバー
12  載置面
13  カード式記憶媒体
14  ツメ
15  リブ
16  カードケース
17  リブ
18  本体
19  カバー
20  収容部
21  取出し部
22  底面
23  ガイド
24  カードケース
25  収容部
26  カバー
27  ツメ
【図１】
0005309093.tif 000002
【図２】
0005309093.tif 000003
【図３】
0005309093.tif 000004
【図４】
0005309093.tif 000005
【図５】
0005309093.tif 000006
【図６】
0005309093.tif 000007
【図７】
0005309093.tif 000008
【図８】
0005309093.tif 000009
【図９】
0005309093.tif 000010
【図１０】
0005309093.tif 000011